(57)【要約】【課題】  光学式ピックアップによりディスクに信号を記録することが出来る光ディスク記録再生装置の記録制御方法を提供する。【解決手段】  ディスク１に記録信号の記録動作を行っている状態において、ピックアップ制御回路５に組み込まれているサーボ回路のサーボエラー信号のレベルが記録動作を正常に行うことが出来ないレベルに達したことがサーボエラー検出回路１７にて検出されたとき、レーザー素子に供給される駆動信号のレベルを記録動作を行うことが出来ない待機レベルに低下させることにより記録動作を中断させる。【選択図】    図１
2005228451.tif 000002
【特許請求の範囲】
【請求項１】
記録信号が一旦記憶されるバッファメモリー回路を設け、該バッファメモリー回路から読み出された記録信号をエンコード処理するとともにアドレスデータを付加した後ディスクに記録するように構成された光ディスク記録再生装置の記録制御方法であり、記録状態にあるときディスクに設けられているプリグルーブから得られるアドレスデータを復調するデコード回路と、ディスクに記録されている信号の再生動作を行う再生用レベル及び該ディスクに信号を記録する記録用レベルのレーザー光を放射するレーザー素子が組み込まれている光学式ピックアップと、該光学式ピックアップのフォーカシング制御動作及びトラッキング制御動作を行うピックアップ制御回路と、該ピックアップ制御回路に組み込まれているサーボ回路のサーボエラーを検出するサーボエラー検出回路と、記録動作時前記レーザー素子に記録用レベルと再生用レベルのレーザー光を放射させる駆動信号を供給するレーザー駆動回路とより成り、ディスクに記録信号の記録動作を行っている状態において、ピックアップ制御回路に組み込まれているサーボ回路のサーボエラー信号のレベルが記録動作を正常に行うことが出来ないレベルに達したことが前記サーボエラー検出回路にて検出されたとき、レーザー素子に供給される駆動信号のレベルを記録動作を行うことが出来ない待機レベルに低下させることにより記録動作を中断させるようにしたことを特徴とする光ディスク記録再生装置の記録制御方法。
【請求項２】
記録信号が一旦記憶されるバッファメモリー回路を設け、該バッファメモリー回路から読み出された記録信号をエンコード処理するとともにアドレスデータを付加した後ディスクに記録するように構成された光ディスク記録再生装置の記録制御方法であり、記録状態にあるときディスクに設けられているプリグルーブから得られるアドレスデータを復調するデコード回路と、ディスクに記録されている信号の再生動作を行う再生用レベル、ディスクに記録されている信号を消去する消去用レベル及び該ディスクに信号を記録する記録用レベルのレーザー光を放射するレーザー素子が組み込まれている光学式ピックアップと、該光学式ピックアップのフォーカシング制御動作及びトラッキング制御動作を行うピックアップ制御回路と、該ピックアップ制御回路に組み込まれているサーボ回路のサーボエラーを検出するサーボエラー検出回路と、記録動作時前記レーザー素子に記録用レベル、消去用レベル及び再生用レベルのレーザー光を放射させる駆動信号を供給するレーザー駆動回路とより成り、ディスクに記録信号の記録動作を行っている状態において、ピックアップ制御回路に組み込まれているサーボ回路のサーボエラー信号のレベルが記録動作を正常に行うことが出来ないレベルに達したことが前記サーボエラー検出回路にて検出されたとき、レーザー素子に供給される駆動信号のレベルを記録動作を行うことが出来ない待機レベルに低下させることにより記録動作を中断させるようにしたことを特徴とする光ディスク記録再生装置の記録制御方法。
【請求項３】
駆動信号のレベルを待機レベルに低下させた後デコード回路にて復調されたアドレスデータの連続性が認識されたとき、レーザー素子に供給される駆動信号のレベルを記録動作を行うレベルに復帰させることにより記録動作を再開させるようにしたことを特徴とする請求項１又は請求項２に記載の記録制御方法。
【請求項４】
待機レベルを再生用レベルにしたことを特徴とする請求項１に記載の記録制御方法。
【請求項５】
待機レベルを消去用レベルにしたことを特徴とする請求項２に記載の記録制御方法。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置の記録制御方法に関する。
【背景技術】
【０００２】
光学式ピックアップを用いてディスクに記録されている信号の読み出し動作を行うディスクプレーヤーが普及しているが、再生機能に加えて光学式ピックアップより照射されるレーザー光によってディスクに信号を記録することが出来るように構成された光ディスク記録再生装置が商品化されている。
【０００３】
記録用ディスクには、プリグルーブと呼ばれる溝が設けられており、このプリグルーブより得られるウォブル信号を復調することによって時間情報、即ちアドレスデータを得ることが出来るように構成されている。そして、光ディスク記録再生装置は、ディスクより得られるアドレスデータに基づいてアドレスデータを生成し、このアドレスデータを記録信号に付加するエンコード処理を行うことによってディスクに信号を記録するように構成されている。
【０００４】
またＤＶＤ(Ｄｉｇｉｔａｌ  Ｖｅｒｓａｔｉｌｅ  Ｄｉｓｋ)を使用する光ディスク記録再生装置は、外部に設けられているチューナー装置等より得られる映像信号等の記録信号をディスクに記録するように構成されているが、斯かる記録動作は一旦バッファメモリー回路に書き込み、該バッファメモリー回路に記憶されている記録信号を読み出すことによってディスクへの記録動作を行うように構成されている(例えば、特許文献１参照。)。
【特許文献１】特開２００３−１６７３１号公報
【発明の開示】
【発明が解決しようとする課題】
【０００５】
ディスクへの信号の記録動作が行われている状態では、光学式ピックアップより照射されるレーザー光をディスクの信号面に合焦させるフォーカシング制御動作及びレーザー光を信号記録トラックに追従させるトラッキング制御動作を行うように構成されているが、斯かる制御動作は、フォーカスサーボ及びトラッキングサーボと呼ばれるサーボ回路によって行うように構成されている。そして、斯かるサーボ回路によるサーボ動作は、光学式ピックアップに設けられている光検出器から得られるフォーカスエラー信号及びトラッキングエラー信号を検出することによって行うように構成されている。
【０００６】
また、ディスクの回転駆動動作は、スピンドルモーターによって行われるが、斯かる回転速度制御動作は、ディスクの回転速度を記録動作を行うために必要な線速度一定になるように制御する必要があるため、スピンドルサーボと呼ばれるサーボ回路によって行われている。そして、斯かるスピンドルモーターの回転速度制御動作は、ディスクから抽出される同期信号と基準クロック信号を生成するべく設けられているクロック信号生成回路より出力される基準クロック信号との同期をとることによって行われる。
【０００７】
記録動作が行われている状態において、光ディスク記録再生装置にショックが加わると光学式ピックアップのフォーカシング制御動作及びトラッキング制御動作に悪影響を与え短時間であるが記録動作を行うことが出来ない状態になる。斯かる状態になったとき、光学式ピックアップから照射されるレーザー光のレベルが記録動作を行うことが出来るレベ
ルにあるため、ディスク上の信号トラックにノイズとして信号が記録されることになる。
【０００８】
斯かる問題を解決する方法として、前述した状態になると、記録動作を一旦中断させた後光学式ピックアップを記録中断位置に戻して記録動作を再開させるようにした技術が開発されている。
【０００９】
斯かる技術では、記録動作を中断させた後記録動作を再開させるまでに多くの時間を要するため、チューナー等から送信されてくる記録信号が中断されている間ディスクに記録されないことになる。従って、このようにして記録された映像信号を再生した場合、映像の連続性が大きく損なわれるので使用者に対して不快感を与えることになる。斯かる点を改良する方法として記録信号が一旦記憶されるバッファメモリー回路のメモリー容量を大きくすることが行われているが、コストが高くなるという問題がある。
【００１０】
本発明は、斯かる問題を解決することが出来る光ディスク記録再生装置の記録制御方法を提供しようとするものである。
【課題を解決するための手段】
【００１１】
本発明は、記録状態にあるときディスクに設けられているプリグルーブから得られるアドレスデータを復調するデコード回路と、ディスクに記録されている信号の再生動作を行う再生用レベル及び該ディスクに信号を記録する記録用レベルのレーザー光を放射するレーザー素子が組み込まれている光学式ピックアップと、該光学式ピックアップのフォーカシング制御動作及びトラッキング制御動作を行うピックアップ制御回路と、該ピックアップ制御回路に組み込まれているサーボ回路のサーボエラーを検出するサーボエラー検出回路と、記録動作時前記レーザー素子に記録用レベルと再生用レベルのレーザー光を放射させる駆動信号を供給するレーザー駆動回路とより成り、ディスクに記録信号の記録動作を行っている状態において、ピックアップ制御回路に組み込まれているサーボ回路のサーボエラー信号のレベルが記録動作を正常に行うことが出来ないレベルに達したことが前記サーボエラー検出回路にて検出されたとき、レーザー素子に供給される駆動信号のレベルを記録動作を行うことが出来ない待機レベルに低下させることにより記録動作を中断させるように構成されている。
【００１２】
また、本発明は、記録状態にあるときディスクに設けられているプリグルーブから得られるアドレスデータを復調するデコード回路と、ディスクに記録されている信号の再生動作を行う再生用レベル、ディスクに記録されている信号を消去する消去用レベル及び該ディスクに信号を記録する記録用レベルのレーザー光を放射するレーザー素子が組み込まれている光学式ピックアップと、該光学式ピックアップのフォーカシング制御動作及びトラッキング制御動作を行うピックアップ制御回路と、該ピックアップ制御回路に組み込まれているサーボ回路のサーボエラーを検出するサーボエラー検出回路と、記録動作時前記レーザー素子に記録用レベル、消去用レベル及び再生用レベルのレーザー光を放射させる駆動信号を供給するレーザー駆動回路とより成り、ディスクに記録信号の記録動作を行っている状態において、ピックアップ制御回路に組み込まれているサーボ回路のサーボエラー信号のレベルが記録動作を正常に行うことが出来ないレベルに達したことが前記サーボエラー検出回路にて検出されたとき、レーザー素子に供給される駆動信号のレベルを記録動作を行うことが出来ない待機レベルに低下させることにより記録動作を中断させるように構成されている。
【００１３】
そして、本発明は、駆動信号のレベルを待機レベルに低下させた後デコード回路にて復調されたアドレスデータの連続性が認識されたとき、レーザー素子に供給される駆動信号のレベルを記録動作を行うレベルに復帰させることにより記録動作を再開させるように構成されている。
【発明の効果】
【００１４】
本発明は、ディスクに記録信号の記録動作を行っている状態において、ピックアップ制御回路に組み込まれているサーボ回路のサーボエラー信号のレベルが記録動作を正常に行うことが出来ないレベルに達したことが前記サーボエラー検出回路にて検出されたとき、レーザー素子に供給される駆動信号のレベルを記録動作を行うことが出来ない待機レベルに低下させることにより記録動作を中断させるようにしたので、ディスクの信号トラックにノイズが記録されることを防止することが出来る。
【００１５】
また、本発明は、駆動信号のレベルを待機レベルに低下させた後デコード回路にて復調されたアドレスデータの連続性が認識されたとき、レーザー素子に供給される駆動信号のレベルを記録動作を行うレベルに復帰させることにより記録動作を再開させるようにしたので、即ち記録中断動作をレーザー出力を低下させるという動作にて行うようにしたので、記録動作状態への復帰動作を速やかに行うことが出来、その結果レーザー出力の低下により信号が記録されないデータ欠落期間を補間可能期間内に抑えることが可能となる。従って、斯かる場合には、映像信号の連続性を維持することが可能となる。
【００１６】
そして、本発明は、待機レベルを再生用レベルや消去用レベルにしたので、待機時のレーザー出力の設定を容易に行うことが出来る。
【発明を実施するための最良の形態】
【００１７】
本発明は、レーザー出力のレベルを制御することによって記録動作を制御するようにしたものである。
【実施例】
【００１８】
図１は本発明に係る光ディスク記録再生装置の一実施例を示す回路図、図２及び図３は本発明に係る光ディスク記録再生装置における記録用駆動信号の波形図である。
【００１９】
図１において、１はスピンドルモーター２によって回転駆動されるターンテーブル３に載置されるディスクであり、該ターンテーブル３の回転によって回転駆動されるように構成されている。また、前記ディスク１には、アドレスデータや同期信号がプリグルーブと呼ばれる蛇行した溝によって記録されており、この溝より得られる信号に基づいて信号の記録再生動作を行うように構成されている。
【００２０】
４はディスク１に照射されるレーザー光を放射するレーザー素子が組み込まれているとともにディスク１の信号面から反射されるレーザー光を受ける光検出器が組み込まれている光学式ピックアップであり、ピックアップ送り用モーター(図示せず)によってディスク１の径方向に移動せしめられるように構成されている。
【００２１】
５は前記光学式ピックアップ４に組み込まれている光検出器から得られる信号に基づいてレーザー光をディスク１の信号面に合焦させるフォーカシング制御動作及び該レーザー光を信号トラックに追従させるトラッキング制御動作を行うピックアップ制御回路であり、フォーカスエラー信号及びトラッキングエラー信号を利用してサーボ動作を行うフォーカスサーボ回路及びトラッキングサーボ回路が組み込まれている。６は前記スピンドルモーター２の回転動作を制御するスピンドルモーター制御回路であり、ディスク１より読み出される同期信号と基準クロック信号を生成するべく設けられているクロック信号生成回路７より出力される基準クロック信号との同期をとることによってディスク１を線速度一定の状態にて回転駆動するように構成されている。
【００２２】
８は前記光学式ピックアップ４に組み込まれている光検出器から得られるＲＦ信号を増
幅するととも波形整形し、２値化した信号を出力する信号増幅回路、９は前記信号増幅回路８から出力される信号が入力されるとともに該信号からアドレスデータや同期信号を復調抽出するデコード回路である。
【００２３】
１０は光ディスク記録再生装置の動作切換等の信号を出力する動作制御回路であり、記録用操作スイッチや再生用スイッチ等が設けられるが、光ディスク記録再生装置がコンピューター装置と接続されて使用される場合には、コンピューター装置に該当するものである。
【００２４】
１１は前記動作制御回路１０から出力される動作切換信号に基づいて各種の動作制御を行うシステム制御回路であり、マイクロコンピューターにて構成されている。１２は外部に設けられているチューナー等から映像信号等の記録信号が入力される記録信号入力端子、１３は前記システム制御回路１１によって書き込み動作及び読み出し動作が制御されるバッファメモリー回路であり、前記記録信号入力端子１２より入力される記録信号が書き込まれるとともにディスク１への記録動作を行うために該信号が読み出されるように構成されている。
【００２５】
１４は前記システム制御回路１１によって動作が制御されるアドレスデータ生成回路であり、ディスク１から得られるアドレスデータに基づいてアドレスデータを生成するように構成されている。１５は前記バッファメモリー回路１３から読み出された記録信号が入力されるとともに前記システム制御回路１１によって動作が制御されるエンコード回路であり、前記アドレスデータ信号生成回路１４から生成されるアドレスデータや同期信号を記録信号に付加することによってディスク１の規格に合った記録信号を生成するように構成されている。
【００２６】
１６は前記エンコード回路１５より出力される記録信号、即ち前記記録信号入力端子１２より入力される記録信号にアドレスデータや同期信号が付加されている信号が入力されるレーザー駆動回路であり、前記光学式ピックアップ４に組み込まれているレーザー素子に記録信号に対応したパルス幅の駆動信号を供給するように構成されている。
【００２７】
図２に示す波形は、ディスク１が１度しか記録することが出来ない追記型ディスクの場合にレーザー駆動回路１６からレーザー素子に供給される記録用駆動信号のパルス波形を示すものであり、記録用レベルＲと再生用レベルＰの２つのレベルにて形成されている。図３に示す波形は、ディスク１が繰り返し記録することが出来る書き換え可能なディスクの場合にレーザー駆動回路１６からレーザー素子に供給される記録用駆動信号のパルス波形を示すものであり、記録用レベルＲ、消去用レベル及び再生用レベルＰの３つのレベルにて形成されている。
【００２８】
１７はピックアップ制御回路５に組み込まれているサーボ回路のサーボエラーを検出するサーボエラー検出回路であり、検出されるエラーのレベルが所定レベル、即ち記録動作を続けることが出来ないレベルに達した場合に検出信号をシステム制御回路１１に対して出力するように構成されている。
【００２９】
以上に説明したように本発明に係る光ディスク記録再生装置は構成されているが、次に本発明の記録制御方法について説明する。まず、本実施例において、記録動作が正常に行われる場合について説明する。
【００３０】
動作制御回路１０から記録信号入力端子１２より入力される記録信号をディスク１に記録するための命令信号が出力されると、システム制御回路１１による制御動作が開始されて各回路が記録動作を行う状態になる。斯かる状態では、ピックアップ制御回路５による
光学式ピックアップ４に対する制御動作、即ち信号面にレーザー光を合焦させるフォーカシング制御動作及び信号トラックにレーザー光を追従させるトラッキング制御動作が行われる。
【００３１】
また、スピンドルモーター制御回路６によるスピンドルモーター２の回転駆動制御動作が行われ、ディスク１を記録動作を行うために線速度一定にするための駆動動作が行われる。斯かるディスク１の回転制御動作は、ディスク１にプリグルーブにて記録されている同期信号をデコード回路９にて抽出し、その抽出された同期信号とクロック信号生成回路７から出力される基準クロック信号との同期をとることによって行われる。
【００３２】
記録信号入力端子１２から入力される記録信号は、システム制御回路１１の制御動作によってバッファメモリー回路１３に書き込まれるとともに信号をディスク１に記録するためのブロック毎にまとめて読み出される動作が行われる。前記バッファメモリー回路１３から読み出された記録信号は、エンコード回路１５に入力されてエンコード処理される。
【００３３】
前記エンコード回路１５による記録信号に対するエンコード処理によって記録信号は、ブロック毎にアドレスデータ及び同期信号が付加されてレーザー駆動回路１６に印加される。斯かるエンコード処理によって記録信号に付加されるアドレスデータは、アドレスデータ信号生成回路１４によって生成されるが、そのデータはディスク１より再生される信号からデコード回路９によって抽出されるアドレスデータに基づいて生成されることになる。
【００３４】
エンコード回路１５によってエンコード処理された記録信号がレーザー駆動回路１６に入力されると、該レーザー駆動回路１６から光学式ピックアップ４に組み込まれているレーザー素子に対して駆動信号が供給される。前記レーザー駆動回路１６からレーザー素子に供給される駆動信号は、記録信号の長さに応じたパルス信号となるが、ディスク１が追記型のディスクである場合には、図２に示すような２値のパルス信号であり、ディスク１が書き換え可能なディスクの場合には、図３に示すような３値のパルス信号となる。
【００３５】
光ディスク記録再生装置に対してショック等が加わらなかった場合には、ピックアップ制御回路５による光学式ピックアップ４に対するサーボ動作が良好に行われるので、サーボエラー信号のレベルが所定値を超えることがなく、サーボエラー検出回路１７からエラー検出信号が出力されることはない。従って、記録信号入力端子１２から入力される映像信号等の記録信号をディスク１に記録することが出来る。
【００３６】
以上に説明したように記録動作が正常に行われる場合の動作は行われるが、次に記録動作中にショック等が原因で光学式ピックアップ４に対するピックアップ制御回路５のサーボ動作が短時間異常になった場合の動作について説明する。
【００３７】
ピックアップ制御回路５におけるサーボ動作の異常は、サーボエラー信号のレベルを検出することによって行うことが出来る。サーボエラー信号のレベル変化を検出し、サーボエラー信号のレベルが、記録動作を正常に行うことが出来ないレベルに達すると、サーボエラー検出回路１７から検出信号がシステム制御回路１１に対して出力される。
【００３８】
前記サーボエラー検出回路１７から検出信号がシステム制御回路１１に対して出力されると、該システム制御回路１１による記録中断動作が行われる。斯かる記録中断動作は、全ての回路を記録動作を行わない状態にするのではなく、本発明では、レーザー駆動回路１６からレーザー素子に対して供給される駆動信号のレベルを記録動作を行うことが出来ない待機レベルに低下させるように構成されている。即ち、バッファメモリー回路１３に対する記録信号の書き込み動作及び読み出し動作、エンコード回路１５によるエンコード
処理動作、デコード回路９によるデコード処理動作及びアドレスデータ信号生成回路１４によるアドレスデータ生成動作はそのまま続けられることになる。尚、サーボエラー検出回路１７から検出信号が出力されたとき、デコード回路９から抽出されるアドレスデータが消滅するが、アドレスデータ信号生成回路１４にて生成されるアドレスデータは連続した番号として生成されるため、該アドレスデータ信号生成回路１４によるアドレスデータの生成動作は続けて行われる。
【００３９】
前記サーボエラー検出回路１７から検出信号がシステム制御回路１１に対して出力されると、レーザー駆動回路１６からレーザー素子に対して供給される駆動信号のレベルを記録動作を行うことが出来ない待機レベルに低下させる動作が行われるが、斯かる待機レベルは、追記型のディスクを使用する場合には、再生用レベルＰに設定され、書き換え可能なディスクの場合には、消去用レベルＥに設定される。
【００４０】
記録中断動作は、前述したように行われるが、斯かる動作が行われているとき、ピックアップ制御回路５では、光学式ピックアップ４から照射されるレーザー光をディスク１の信号面に合焦させるためのフォーカシング制御動作や信号トラックに追従させるためのトラッキング制御動作を行う状態に復帰させるための制御動作が行われる状態にある。従って、光学式ピックアップ４は、ディスク１上の信号トラックを追従する状態に復帰するとともにプリグルーブからアドレスデータを読み出す動作を開始することになる。
【００４１】
斯かる状態に復帰すると、デコード回路９によるデコード処理動作が行われ、ディスク１に記録されているアドレスデータの抽出動作が行われる。抽出されたアドレスデータは、システム制御回路１１に入力されるので、該システム制御回路１１は入力されるアドレスデータが連続しているか否かの確認動作、即ちアドレスデータの連続性を確認する動作を行う。
【００４２】
斯かる確認動作によってアドレスデータの連続性が確認されると、システム制御回路１１からレーザー駆動回路１６に対して駆動信号のレベルを待機レベルから記録用レベルＲまで上昇させるための制御動作が行われる。斯かる動作が行われる結果、ディスク１への記録信号の記録動作が再開されることになる。
【００４３】
前記サーボエラー検出回路１７から検出信号がシステム制御回路１１に対して出力されると、前述したように記録中断再開動作が行われるが、記録中断及び再開のための動作は、レーザー駆動信号のレベルを待機レベルに低下させる動作及び該駆動信号のレベルを記録用レベルに復帰させるという動作によって行うようにしたので、記録中断再開動作を速やかに行うことが出来る。その結果、ディスク１に記録される信号が欠落する期間を極短時間にすることが出来るので、記録信号が映像信号の場合には、信号の補間動作によって欠落期間を補間することが出来る。
【００４４】
尚、本実施例では、待機レベルを再生用レベルＰや消去用レベルＥにしたが、記録動作を行うことが出来ないレベルであれば同様の動作を行うことが出来る。
【図面の簡単な説明】
【００４５】
【図１】本発明に係る光ディスク記録再生装置の一実施例を示す回路図である。
【図２】本発明に係るレーザー素子を駆動する信号の波形図である。
【図３】本発明に係るレーザー素子を駆動する信号の波形図である。
【符号の説明】
【００４６】
１        ディスク
２        スピンドルモーター
４        光学式ピックアップ
５        ピックアップ制御回路
６        スピンドルモーター制御回路
９        デコード回路
１１        システム制御回路
１３        バッファメモリー回路
１４        アドレスデータ信号生成回路
１５        エンコード回路
１６        レーザー駆動回路
１７        サーボエラー検出回路
【図１】
2005228451.tif 000003
【図２】
2005228451.tif 000004
【図３】
2005228451.tif 000005